(57)【要約】【課題】  割れの発生を抑制しながら、撓み変形の少ない握り操作性のよい木製のリールシートを提供する。【解決手段】  固定フード４を取り付けた木製の筒状リールシート本体６にリール載置面６ａを形成するとともに、筒状リールシート本体６に対して可動フード５を取り付けた筒状保持体８を、前記リール載置面が表出する状態で外嵌し、前記筒状リールシート本体６の拡縮径を許容する割り溝６ｂを形成してある。【選択図】        図２
2006246809.tif 000002
【特許請求の範囲】
【請求項１】
固定フードを取り付けた木製の筒状リールシート本体にリール載置面を形成するとともに、前記筒状リールシート本体に対して可動フードを取り付けた筒状保持体を、前記リール載置面が表出する状態で外嵌し、前記筒状リールシート本体の拡縮径を許容する機構を、前記筒状リールシート本体における前記筒状保持体に覆われた部分に設けてある釣り用リールのリールシート。
【請求項２】
前記許容する機構が、前記筒状リールシート本体の一端から軸線方向に沿った状態で設けてある割り溝である請求項1記載の釣り用リールのリールシート。
【請求項３】
前記割り溝の周方向に沿った横幅が、内周側が小さく、外周側が大きいものに構成してある請求項１又は２記載の釣り用リールのリールシート。
【請求項４】
請求項１〜３のうちのいずれか一つに記載の釣り用リールのリールシートを備えた釣り竿。
【発明の詳細な説明】
【技術分野】
【０００１】
本発明は、釣り用リールのリールシート及びそのリールシートを備えた釣り竿に関する。
【背景技術】
【０００２】
リールシートの本体部分としては、撓み変形が少なく握り操作性に優れる木製の筒状体が使用されていた（特許文献１参照）。
【０００３】
【特許文献１】特開２００３−２１９７７３号公報（段落番号〔００１５〕、図５及び図６）
【発明の開示】
【発明が解決しようとする課題】
【０００４】
上記木製の筒状体においては、吸湿による膨張量と乾燥による収縮量とが金属等に比べて大きなものであるので、筒状体に割れ等が発生することがあった。
【０００５】
本発明の目的は、上記した割れの発生を抑制しながら、撓み変形の少ない握り操作性のよいリールシートを提供する点にある。
【課題を解決するための手段】
【０００６】
〔構成〕
請求項１に係る発明の特徴構成は、固定フードを取り付けた木製の筒状リールシート本体にリール載置面を形成するとともに、前記筒状リールシート本体に対して可動フードを取り付けた筒状保持体を、前記リール載置面が表出する状態で外嵌し、前記筒状リールシート本体の拡縮径を許容する機構を、前記筒状リールシート本体における前記筒状保持体に覆われた部分に設けてある点にあり、その作用効果は次の通りである。
【０００７】
〔作用〕
前記筒状リールシート本体の拡縮径を許容する機構が、筒状リールシート本体の径の拡張、及び、縮小を許容するところから、筒状リールシート本体自体には無理な力が掛からず、割れ等の発生は抑制される。
しかも、前記許容する機構が筒状保持体で覆われているので、人目に触れることもなく、かつ、塵埃等を噛み込むこともない。
【０００８】
〔効果〕
したがって、リールシートとして長期に亘って安定した使用が可能になるとともに、デザイン面での劣化もない。
【０００９】
請求項２に係る発明の特徴構成は、請求項１に係る発明において、前記許容する機構が、前記筒状リールシート本体の一端から軸線方向に沿った状態で設けてある割り溝である点にあり、その作用効果は次の通りである。
【００１０】
〔作用効果〕
つまり、筒状リールシート本体が湿分を吸収すると割り溝幅が拡大し、乾燥すると割り溝幅が縮小して、筒状リールシート本体に影響を及ぼさない。しかも、割り溝が筒状保持体によって覆われているので、割り溝の存在が目に触れることはなくデザイン面での劣化を抑制できるとともに、割り溝内への塵埃の侵入等を阻止できて、割り溝等の機能を有効に活用できる。
【００１１】
請求項３に係る発明の特徴構成は、請求項１又は２に係る発明において、前記割り溝の周方向に沿った横幅が、内周側が小さく、外周側が大きいものに構成してある点にあり、その作用効果は次の通りである。
【００１２】
〔作用効果〕
割り溝の横幅は、膨張収縮代の大きな外周側では大きなものに設定し、外周側に比して小さな内周側では小さくして、変形度合いに対応した溝幅に設定してあり、割り溝を大きくすることによる強度低下を抑制できる。
【００１３】
請求項４に係る発明の特徴構成は、請求項１〜３のうちのいずれか一つに記載の釣り用リールのリールシートを備えた釣り竿である点にあり、その作用効果は次の通りである。
【００１４】
〔作用効果〕
リールシートを安定して使用できる状態にしているので、釣り竿全体としても長期に亘って安定した使用が期待できる。
【発明を実施するための最良の形態】
【００１５】
フライフィシング、或いは、ルアーフィッシング等に使用される釣り竿Ａについて説明する。図１（イ）に示すように、グリップ１の手元側に、太鼓リールやスピニングリール、両軸受リールなどを取付可能なリールシート２を配置して、釣り竿Ａを構成してある。
【００１６】
グリップ１からリールシート２に掛けて竿素材３を配置して、それらリールシート２、及び、グリップ１を支持する。グリップ１は、コルク製であり握り易い形状に形作られ、竿素材３に接着固定されている。
【００１７】
リールシート２の構成について説明する。図１及び図２に示すように、リールシート２は、アルミやチタン等材料からなる金属製の固定フード４と可動フード５とを備えるとともに、固定フード４を取付けている木（プライウッド）製の筒状リールシート本体６と、可動フード５及びその可動フード５を駆動するナット部材７を螺着した金属製の筒状保持体８とを備えて、構成されている。
【００１８】
筒状リールシート本体６の構成について説明する。図１及び図２に示すように、筒状リールシート本体６は、竿尻端側に大径の固定フード取付部６Ａとそれより竿先側に形成された小径のリール取付部６Ｂとを一体形成したものである。固定フード取付部６Ａには、固定フード４が外嵌固定されている。リール取付部６Ｂには、図３に示すように、一側面に小半径の円弧状面６ａをやや凹入させた状態で設けてあり、リール脚を載置する載置面に構成してある。
【００１９】
筒状リールシート本体の拡縮径を許容する機構について説明する。図１〜図３に示すように、前記したリール取付部６Ｂにおける円弧状面６ａの形成部位とは１８０°反対側の面に、軸線方向に沿った割り溝６ｂを形成してある。この割り溝６ｂは、円周方向に沿った溝幅を内周側の幅ｗが小さく、外周側の幅Ｗが大きくしてある。
このように、割り溝６ｂを設け、かつ、外周側の溝幅Ｗを大きくすることによって、吸湿または乾燥に伴う筒状リールシート本体６の拡径縮小変形により割れ等の発生を阻止する。この割り溝６ｂを前記筒状リールシート本体の拡縮径を許容する機構と称する。
【００２０】
筒状保持体８の構造について説明する。図１及び図２に示すように、筒状保持体８は、リール取付部６Ｂを収納保持する保持部８Ａと、可動フード５とその可動フード５を駆動するナット部材７を螺着したネジ部８Ｂと、グリップ１を装着するグリップ装着部８Ｃとを軸線方向に沿って形成してある。
【００２１】
保持部８Ａは、全周の２／３だけを残して全周の一部に開口８ａを形成してあり、この開口８ａは、保持部８Ａ内に筒状リールシート本体６を収納した状態でリール載置用の円弧状面６ａが表出する大きさに形成されている。また、開口８ａ以外の外周面部で筒状リールシート本体６の割り溝６ｂを覆うことになる。
ネジ部８Ｂでは、筒状リールシート本体６の一端を保持するとともに、可動フード５を支持し、ナット部材７を螺着してリール脚の取付けを可能にしてある。
グリップ装着部８Ｃは、円筒状に形成された竿先端側においてグリップ１を取付固定してある。
【００２２】
〔別実施形態〕
（１）  割り溝６ｂとしては、保持部８Ａの円周方向一箇所だけに設けるのではなく、図  ４に示すように、複数箇所に形成し、かつ、その溝の形状も、外周面から一定の深さに限定し、内周面まで貫通しない形状のものにする。これによって、割り溝６ｂが内周面まで到達していないので、保持部８Ａとしての強度を維持できるものとなる。
（２）筒状リールシート本体６の拡縮径を許容する機構としては、割り溝６ｂ内にゴム等を挟みこんで、筒状リールシート本体６の拡縮径を許容しながら、筒状リールシート本体６内部空間へ連通する部分を閉塞する構成を採ってもよい。
（３）  釣り竿の構成としては、図示はしていないが、リールシート２を挟んで竿の竿先側に設けたグリップ１とともに、竿端側にもリアグリップを形成してもよい。
【図面の簡単な説明】
【００２３】
【図１】（イ）はフライ竿を示す側面図、（ロ）はリールシートの構造を示す縦断側面図
【図２】リールシートを示す分解斜視図
【図３】図１（ロ）のＩＩＩ−ＩＩＩ線断面図
【図４】図３における別実施例を示す縦断正面図
【符号の説明】
【００２４】
４            固定フード
５            可動フード
６            筒状リールシート本体
６ｂ          割り溝（筒状リールシート本体の拡縮径を許容する機構）
８            筒状保持体
ｗ、Ｗ        横幅
【図１】
2006246809.tif 000003
【図２】
2006246809.tif 000004
【図３】
2006246809.tif 000005
【図４】
2006246809.tif 000006